(57)【要約】【課題】病院などの待合室のように不特定の人が一時的に滞留する場所から、滞留した人が発生する微生物や塵埃などの浮遊物が拡散するのを防止する。【解決手段】待合室１のように、人が一時的に滞留することになる場所に設置された椅子３とその近傍にフィルタ部とファン部からなる浄化ユニット５を椅子と対応して配置した。そしてこの浄化ユニット５を稼働して椅子近傍に滞留している人から発生した微生物や塵埃などの浮遊物を捕集して除菌、除塵し、その浄化した空気を室内１に戻すようにして局部的に室内１を浄化できるようにした。【選択図】　　　　図１
2004113561.tif 000002
【特許請求の範囲】
【請求項１】
台座上に椅子を据え付け、当該椅子の背もたれ部および／または前記台座に周辺空気の吸込口を形成し、この吸込口に通じる椅子構成部材および／または台座構成部材内にファンフィルタユニットを内蔵させ、前記吸込口から吸い込まれた周辺空気を前記ファンフィルタユニットを通過させることにより浄化して排気可能としたことを特徴とする空気浄化椅子ユニット。
【請求項２】
台座上に椅子を据え付け、当該椅子の背もたれ部および／または前記台座に周辺空気の吸込口を形成し、この吸込口に通じる椅子構成部材および／または台座構成部材内にフィルタを内蔵させ、前記吸込口から吸い込まれた周辺空気を前記フィルタに通過させるダクトを設け、当該ダクトには外部ファンユニットとの接続部を設けることにより、吸込空気を浄化して外部ファンユニットを通じて排気可能としたことを特徴とする空気浄化椅子ユニット。
【請求項３】
前記空気浄化椅子ユニットには人体検知センサを付帯させ、当該センサによる人体検知によりユニット単位で空気浄化駆動を行わせるようにしてなることを特徴とする請求項１または２に記載の空気浄化椅子ユニット。
【請求項４】
病院待合室に置かれる椅子ユニットに形成した空気吸込口を利用して周辺空気を吸込みつつ、フィルタで濾過して浄化させることにより、院内感染を抑制することを特徴とする院内感染抑制方法。
【請求項５】
請求項１から３のいずれかに記載の空気浄化椅子ユニットを病院の待合室に複数配置し、院内感染を抑制するようにした院内感染抑制方法。
【発明の詳細な説明】
【０００１】
【発明の属する技術分野】
本発明は空気浄化椅子ユニット及び院内感染抑制方法に係り、特に病院などの待合室において、人から発生する塵埃や各種微生物等の浮遊物が室内の周囲へ拡散することを抑制するようにした空気浄化椅子ユニット及び院内感染抑制方法に関するものである。
【０００２】
【従来の技術】
病院の待合室の様に一時的に人が滞留するような場所では、その部屋の特質から病原性微生物の保有者と非保有者とが同席し、あるいは医者、患者、医療関係業者など様々な人が頻繁に出入りする場所となっている。病原性微生物にも様々な種類があり、現在かかっている病気を治療しに病院に行っても、違う種類の病原性微生物を別の患者からもらって、違った病気にかかってしまう場合もある。このような院内感染は国内でも多数見受けられ、その対策が急務となっている。
【０００３】
このため病院待合室などではその施設面からの対策として、待合室の給気口にＨＥＰＡなど各種のフィルタを設置して清浄空気を待合室に供給するようにし、あるいは待合室の排気口に各種のフィルタを設置して待合室内で発生した病原性微生物を含む空気を病院の内外へ拡散するのを防止するようにしている。また部屋の換気回数を増やして、病原性微生物を含む空気を速やかに待合室外へ排気するようにして空気浄化に努めるという様なケースも見受けられる。
さらに半導体の製造工場などでは、特許文献１のように部屋全体をクリーンルームにして浄化した空気を常に流すようにしている。
【０００４】
【特許文献１】
特開平１０−２６７３３８号公報
【０００５】
【発明が解決しようとする課題】
しかしながら上記のように部屋全体をクリーンルームに近い状態に清浄化したとしても、人の出入りに伴う微生物の進入、内部壁面からの微生物発生、入室者（特に患者）の衣服、身体、呼気からの微生物の散逸などについては対処しにくい。この中でも室内における微生物や塵埃の最大の発生源は人であり、例えばマスク、手袋、帽子を着用したとしても１０ＣＦＵ／（人・ｓ）、クリーンルーム用の防塵着を着用しても４ＣＦＵ／（人・ｓ）も発生してしまう。このようにクリーンルームに近い状態に清浄化すれば、それ以外の部屋と比較すると部屋全体の平均清浄度を高めることは出来る。しかし作業者や患者が一時的に滞留する周辺域となると部屋内の他の場所に比べ空中浮遊微生物や塵埃濃度が高いという場合も生じる。従って部屋全体を対象とする空気浄化方法では、部屋のあらゆる場所において清浄度を高め、それを持続することが出来ないという問題があった。またクリーンルームに近い状態まで空気を清浄化するには、建設コストや運転コストが多大であり、経済的側面からその清浄度は自ずと限界がある。
このような問題は、病院待合室のみならず、半導体の製造工場や食品工場等の人が集中する作業室内などでも同様の問題である。
【０００６】
本発明はこのような事情に鑑みてなされたもので、例えば病院待合室のように様々な不特定の人が一時的に滞留する場所から発生した微生物や塵埃を、その発生した場所で捕集して周囲へ拡散するのを抑制し、室内の浄化を保つことが出来るようにした空気浄化椅子ユニットを提供することを目的とする。
【０００７】
【課題を解決するための手段】
上記目的を達成するため本発明に係る空気浄化椅子ユニットは、台座上に椅子を据え付け、当該椅子の背もたれ部および／または前記台座に周辺空気の吸込口を形成し、この吸込口に通じる椅子構成部材および／または台座構成部材内にファンフィルタユニットを内蔵させ、前記吸込口から吸い込まれた周辺空気を前記ファンフィルタユニットを通過させることにより浄化して排気可能としたことを特徴としている。
【０００８】
また、本発明は、台座上に椅子を据え付け、当該椅子の背もたれ部および／または前記台座に周辺空気の吸込口を形成し、この吸込口に通じる椅子構成部材および／または台座構成部材内にフィルタを内蔵させ、前記吸込口から吸い込まれた周辺空気を前記フィルタに通過させるダクトを設け、当該ダクトには外部ファンユニットとの接続部を設けることにより、吸込空気を浄化して外部ファンユニットを通じて排気可能としてもよい。
【０００９】
これらの場合において、前記空気浄化椅子ユニットには人体検知センサを付帯させ、当該センサによる人体検知によりユニット単位で空気浄化駆動を行わせるようにすればよい。
【００１０】
また、本発明に係る院内感染抑制方法は、病院待合室に置かれる椅子ユニットに形成した空気吸込口を利用して周辺空気を吸込みつつ、フィルタで濾過して浄化させることにより、院内感染を抑制するように構成した。また、上記空気浄化椅子ユニットを病院の待合室に複数配置し、院内感染を抑制するようにすればよい。
【００１１】
【発明の実施の形態】
以下に本発明に係わる空気浄化椅子ユニットの具体的実施の形態について、図面を参照しながら説明する。
図１は本発明による空気浄化椅子ユニットの好ましい実施形態を示した概略構成の斜視図である。図において１は作業室や病院の待合室で、内部床面には複数の台座２が固定され、その上にそれぞれ椅子３が取り付けられている。各椅子３の背もたれ部４内部にはファンフィルタユニット（ＦＦＵ）５が収容されていて、矢印６の様に背もたれ部４の背面に吸引口を形成し、ここから周辺空気を吸引し、椅子３の足もとから台座２方向に排出する。台座２には内部にＦＦＵ７が収容されており、台座上面に形成された吸引口から吸引された空気は内部でフィルタを通過した後、内部ダクトを通じて台座側面などから矢印８のように排出される。各ＦＦＵ５、７の内部構造については特に開示しないが、待合室などの目的に応じて中性能フィルタ、高性能（ＨＥＰＡ）フィルタ、またはケミカルフィルタなどが収容され、さらに空気を吸引し排出するためのファンが一体になって収容されている。
【００１２】
このようなＦＦＵを浄化ユニットとして椅子３や床部台座２に組み合わせて構成した空気浄化椅子ユニットにより、椅子３の背もたれ部４から吸引された空気６は内部のＦＦＵ５で浄化されて足もと床方向に排出される。台座２はこの椅子３より排出された空気やその他の室内空気も共に吸気流として取り込み、内部のＦＦＵ７で浄化して除菌や除塵をした清浄空気として排出８する。設置する椅子３の数やその配置については待合室１毎に決定すればよい。
【００１３】
図２は患者や作業者９が椅子３に座った状態を示している。椅子３に座った患者９は微生物や塵埃等の浮遊物１０を周囲にまき散らす。特に椅子の後列にいる患者９ｂは前列の椅子にいる患者９ａ方向に向けて発生する割合が高い。そのためこの後列患者９ｂから発生した塵埃などの浮遊物１０は、室内１の空気と共に前列椅子３の背もたれ部４に吸い込ませるようにした。この背もたれ部４には前記のようにＦＦＵ５が収容されているから、そのフィルタ部によって浮遊物１０が捕集される。こうして除菌、除塵された清浄空気は椅子３の足もと側から室内１に戻される。室内１に戻された空気は、さらに患者９から発生した浮遊物１０のうち背もたれ部４に吸入されなかったものも含めて、台座２の上面から内部ＦＦＵ７ファン部によって吸入させる。こうして待合室のように一時的に人が滞留することになる椅子３近傍領域の空気は、椅子３の背もたれ部４から吸入された空気も患者９から発生して背もたれ部４に吸入されなかった浮遊物１０も、室内１に浮遊していた椅子３近傍周辺の塵埃なども全て一緒に吸入されて内部フィルタ部７で捕集される。そして清浄化された空気８は室内１に戻される。
【００１４】
患者や作業者９から発生する微生物や塵埃などの浮遊物１０は、おおよそ粒径が５μｍを境にして空中に浮遊するものと自重により落下するものとに分けられる。本実施形態によれば浮遊するような粒径の小さなものは椅子背もたれ部４によって捕集し、自重によって落下するような粒径のものは台座２によって捕集するようにした。
【００１５】
以上のように本実施形態では、例えば病院の待合室１のように、それぞれ異なった条件を持つ人達が一時的に滞留する椅子の背もたれ部４とその近傍（この場合床面）にフィルタ部とファン部を備えた浄化ユニットを設置して、浮遊微生物や落下する塵埃などを捕集し、局部的な浄化をして同じ室内１へ戻し拡散を抑制するようにした。それも座っている人に最も近接して位置づけられる椅子３背もたれ部４で粒径の小さな浮遊しやすいものを、また床面２からは自重で落下するような粒径のものを捕集できるようにした。それによって２系統の浄化ユニットを同時に進行させることになって効果をより高めることが出来る。
【００１６】
図３は他の実施形態を図１に合わせて示した説明用の構成概略斜視略図である。この例によるものは椅子３の背もたれ部４とその近傍に設置する浄化ユニットをフィルタ部とファン部とに分離したものとしてある。先の実施形態では、浄化ユニットはファン部とフィルタ部が一体になっているＦＦＵ５、７で構成されている。そしてこの浄化ユニットが各椅子３毎に対応して設置され、それが独立して機能するようになっている。これに対し、図３に示した実施形態による例は、椅子３と台座２にはフィルタ部１１だけが収容されていて、当該フィルタ部１１に吸込空気を通すために、この全フィルタに対して１つの外部に設けられたファン部１２に接続するようにしている。これは例えば外部に設置されている空調機のファンを利用して吸込作用を行わせるようにすればよい。そのため各椅子３や台座２に形成されている内部ダクトの出口には外部ダクト１３との接続部１３ａを備えている。実施形態では吸気用のダクト１３が独立したファン部１２に連結されている。
【００１７】
このような構成としたので室内に１つ設置したファン部１２を稼働すると、全ての椅子３と台座２からの吸引が開始され、室内空気と共に椅子近傍領域にいる患者９から出される微生物などを吸引する。そしてフィルタ部１１を通過して除菌、除塵されダクト１３を経てファン部１２より室内１に戻される。
【００１８】
以上のように１室に１ファン部１２としたことによってイニシャルコスト、ランニングコストを削減することが出来る。また図１のように患者９の足下から吹き出される風、あるいは各台座２から吹き出される風８が床面の微生物や塵埃を巻き上げる恐れがあるような場所であっても、問題なく設置することが出来る。
【００１９】
また図３中、１４で示したものは衝立などの仕切り板で、最前列の椅子３と通路間に設置してある。仕切板１４の中には背もたれ部４と同じようにフィルタ部が収容されていて、ダクト１３がファン部１２と連結している。そのためファン部１２を動作すると椅子３の背もたれ部４と同様の働きをして微生物などを吸引する。それによって最前列の椅子３に座っている患者９と通路を歩行している人との相互感染を抑制することが可能となる。そして仕切板１４の設置は背もたれ部４とその近傍に設置される浄化ユニットの１つとして、その数と種類を増加させることになる。それによって仕切板１４を各椅子間に設置するなどの応用も可能となる。さらに床上に配置するダクト１３の配置位置を選択すれば仕切板１４の設置位置に自由度が与えられるから、前記浄化領域を拡張することが出来る。
【００２０】
図４はもう１つ別の実施形態を示したもので、基本構成は図１と同じにしてある。図において図１と同じものはその説明を省略するが、１５は待合室１の天井などに配置した検知手段で、赤外線などにより椅子３近傍に滞留している人を検知する。検知手段１５が人を検知するとその信号は信号線１６より制御部１７に向かう。そして制御部１７は検知した椅子３とその椅子３に対応して設置されている台座２にだけ信号１８を送って、その浄化ユニットを稼働させる。すると浄化ユニットのファン部が動作し、一体となっているフィルタ部を介して該当椅子３近傍の空気を吸入する。
【００２１】
このようにすれば患者９の人数増減や患者が滞留している位置に対応して、浄化ユニットの稼働数や稼働場所、ファン部の回転数などを制御することが出来る。それによって常時フル稼働の場合に比較してコストを大幅に削減することが出来る。尚、患者などの検知手段として赤外線センサを天井に配設した例を示しているが、検知手段はこれだけにこだわることはない。例えば台座２に患者９が上がったとき、あるいは椅子３に患者などが座ったときに、その重量の変化を検出して対応する浄化ユニットを稼働するようにすれば同様の効果を得ることが出来る。
なお、上記実施形態の他に、椅子３には浄化ユニットを設けず台座２にのみ周辺空気吸込による浄化するユニットを設けることもできる。
【００２２】
【発明の効果】
以上説明してきたように本発明によれば、台座上に椅子を据え付け、当該椅子の背もたれ部および／または前記台座に周辺空気の吸込口を形成し、この吸込口に通じる椅子構成部材および／または台座構成部材内にファンフィルタフィルタを内蔵させ、前記吸込口から吸い込まれた周辺空気を前記ファンフィルタフィルタを通過させることにより浄化して排気可能としたから、患者などから発生した微生物や塵埃等の浮遊物を集中的に捕集して拡散を抑止し、室内の浄化を保つことが出来る。それも浄化ユニットは取り付ける椅子毎に対応して設置できるようにしたので、既設の室内であっても容易に適用することが出来る。
【図面の簡単な説明】
【図１】本発明による空気浄化椅子ユニットの実施形態を示した構成概略斜視図。
【図２】図１の椅子に患者などが座ったときの状況を説明するための図。
【図３】他の実施形態を図１に合わせて示した説明用の構成概略斜視図。
【図４】同じく図３とは別の実施形態を示した説明用の構成概略斜視図。
【符号の説明】
１………作業室、２………台座、３………椅子、４………背もたれ部、　　　５………ＦＦＵ（ファンフィルタユニット）、６………吸気流、７………ＦＦＵ（ファンフィルタユニット）、８………排出流、９………患者、１０………浮遊物、１１………フィルタ部、１２………ファン部、１３………ダクト、１４………仕切板、１５………検知手段、１６………信号線、１７………制御部、１８………動作信号。
【図１】
2004113561.tif 000003
【図２】
2004113561.tif 000004
【図３】
2004113561.tif 000005
【図４】
2004113561.tif 000006